(57)【特許請求の範囲】
【請求項１】
収納筒受台の上面に並列に立設された、擬餌針を収納保持する複数の収納筒、該収納筒受台の前面に装着された、挟持力調整具を具備した幹糸の挟持具、及び該収納筒受台の底面に設けられ、回転軸及び位置決め用軸が上下方向に該収納筒受台の長さ方向と平行に固定されている支柱とからなる仕掛け保持部材と、台板、該台板の上面に立設された一対の軸受板、該軸受板の側面に設けられた、該回転軸を支承する縦長の回転軸穴、該回転軸穴の下方の軸受板に設けられた、該回転軸穴を中心として円弧状に形成された、位置決め用軸を案内するための溝であって、該溝の略中央部には縦方向に切り欠き溝が形成されている案内溝からなる支持部材と、から構成されることを特徴とする可倒式釣り仕掛け投入装置。
【発明の詳細な説明】
【技術分野】
【０００１】  本発明は、仕掛け保持部材とこれを支持する支持部材とから構成される、船釣りに使用する可倒式釣り仕掛け投入装置に関する。
【背景技術】
【０００２】  擬餌針の釣り仕掛けは、複数本の擬餌針を一定間隔でハリスを介して幹糸に取り付け、幹糸の先端に錘を取付けて使用することが多いので、釣り仕掛けが絡まりやすい。そこで、釣り仕掛けが絡まないように海中に投入できるようにした、各種の釣り仕掛け投入装置がある。【０００３】  例えば、複数本の収納筒の開口を上にして並列に結束し、舷側の内側に、海側に前傾斜した状態で固定した釣り仕掛け投入装置が一般的に使用されている。この固定式の釣り仕掛け投入装置は、釣り仕掛けをひき上げる時に、擬餌針を収納筒の開口から収納筒内に順次落とし込んで収納し、投入時に幹糸の先端に取付けてある錘を海中に投げ込むと、錘に引かれて収納筒内の擬餌針が順次に引き出されて投入されるように構成されている。【０００４】  実開平６−２３４６１号公報には、複数本の収納筒を並列に結束し、舷側の内側に起立状態に設置して、擬餌針を収納筒内に落とし込み、投入時に収納筒全体を舷側の上面にまで持ち上げ、ついで収納筒が前上がり傾斜となるように海側に傾けて、仕掛けを投入する装置が提案されている。
【特許文献】実開平６−２３４６１号公報
【発明の開示】
【発明が解決しようとする課題】
【０００５】  上記した二つの従来の釣り仕掛け投入装置においては、収納筒内に擬餌針を挿入して落とし込むだけであるので、幹糸が風に吹かれて収納筒から引き出され擬餌針と絡まりやすいという問題がある。さらに従来の釣り仕掛け投入装置においては、収納筒内で擬餌針が幹糸を介して吊り下げられた状態で収納されるために、収納筒が長くなり装置全体が大きくなってしまう。また、これらの釣り仕掛け投入装置は舷側の船内側、即ち釣り人がいる側に設置されるので、釣り人が船内を移動する際の障害物となる。【０００６】  また、実開平６−２３４６１号公報に記載されている仕掛け投入装置では、仕掛けを投入する際に、舷側の上面にまで持ち上げた収納筒を前上がり傾斜となるように海側に傾けるのであるが、波により船が傾いた場合に収納筒は前下がり傾斜になり、収納されている複数の擬餌針が一斉に放出され、釣り仕掛け全部が絡まり円滑な投入が出来なくなるという問題がある。【０００７】  本発明の目的は、装置を小型化し、舷側の内側ではなく舷側の上面に設置して、船内の人の移動の邪魔にならないようにすることの出来る、釣り仕掛け投入装置を提案することである。さらに本発明の別の目的は擬餌針が収納筒内に確実に保持され幹糸と絡むことがない、釣り仕掛け投入装置を提供することである。本発明のさらに別の目的は、釣り仕掛けを海面に向かって、順次円滑に投入出来る、釣り仕掛け投入装置を提供することである。
【課題を解決するための手段】
【０００８】  本発明によれば、収納筒受台の上面に並列に立設された、擬餌針を収納保持する複数の収納筒、該収納筒受台の前面に装着された、挟持力調整具を具備した幹糸の挟持具、及び該収納筒受台の底面に設けられ、回転軸及び位置決め用軸が上下方向に該収納筒受台の長さ方向と平行に固定されている支柱とからなる仕掛け保持部材と、台板、該台板の上面に立設された一対の軸受板、該軸受板の側面に設けられた、該回転軸を支承する縦長の回転軸穴、該回転軸穴の下方の軸受板に設けられた、該回転軸穴を中心として円弧状に形成された、位置決め用軸を案内するための溝であって、該溝の略中央部には縦方向に切り欠き溝が形成されている案内溝からなる支持部材とから構成されることを特徴とする可倒式釣り仕掛け投入装置が提供される。
【発明の効果】
【０００９】  本発明の釣り仕掛け投入装置では、回転軸及び位置決め用軸によって釣り仕掛け保持部材を簡単な操作で、舷側の内側、外側に倒すことができる。釣り仕掛け保持部材を内側に倒すと収納筒の開口が船内側に向き擬餌針の挿入が容易であり、かつ、幹糸が挟持具で確実に挟持される。また、保持部材を海側に倒し、収納筒の開口を海面に向けて、錘を海中に投入すると、錘に引かれて幹糸が挟持具から外れ、同時に擬餌針が収納筒の開口から放出され、釣り仕掛けが順次投入される。また、漁場への移動時のように釣り仕掛け投入装置を使用しないときは、釣り仕掛け投入装置をほぼ垂直方向に固定することができるので、船内での釣り人の移動が容易になると共に、船の航行の障害となることがない。【００１０】  本発明の釣り仕掛け投入装置では、上記したように幹糸が釣り仕掛け糸の挟持具で確実に挟持されるので、仕掛けが付けられた幹糸全体を収納筒に収納する必要がなく、このために収納筒を短くすることができ、装置全体を小型にすることができる。その結果、本発明の釣り仕掛け投入装置を舷側の上面に設置することが可能になる。
【発明を実施するための最良の形態】
【００１１】  以下本発明の実施の形態を図１〜図７に基づいて、イカ釣り仕掛けを例にとって説明する。【００１２】  図１〜図３に示すように、保持部材１は、収納筒２、収納筒受台３、幹糸の挟持具４及び支柱１０によって形成されている。イカ角２２を収納するための収納筒２は、通常は直方体形状である収納筒受台３の上面に複数個、例えば７〜９個が並列に立設される。本発明の釣り仕掛け投入装置においては、仕掛けが収納筒２の長さ及び内径は収納すべき仕掛けに応じて当業者が適宜に決めることができる。【００１３】  幹糸の挟持具４は、収納筒受台３の前面に立設された、一対のスプリング受板６の間に配置される密に巻かれたコイルスプリング７、コイルスプリング７の両端に固定されたナット８、スプリング受板６のボルト貫通穴を介してナット８と嵌合するボルト９から構成される。ボルト９を回転させることによって、ナット８が左右に移動し、コイルスプリング７のピッチが変化し、結果として、コイルスプリング７が幹糸２１を挟持する力が調整される。【００１４】  収納筒受台３の底面には、設けられている回転軸１１及び位置決め用軸１２固定された支柱１０が、回転軸１１及び位置決め用軸１２は、収納筒受台３の長さ方向と平行に設けられている。回転軸１１は後述する回転軸穴１５に支承され、これにより仕掛け投入装置１を前後、即ち船側及び海側に倒すことが可能になる。また、位置決め用軸１２は回転軸１１の下方に設けられ、同じく後述する案内溝１６に摺動自在に嵌合されて、仕掛け投入装置の前後への傾斜を規制する。【００１５】  支持部材１３は、一般に板状の直方体である台板１８、その上面に立設された一対の軸受板１４から構成されている。軸受板１４には、仕掛け保持部材１の回転軸７を支承する、縦長の回転軸穴１５が設けられている。また、軸受板１４には、回転軸穴１５の下方に、回転軸穴１５を中心とする円弧の形状に形成された位置決め用軸１２の案内溝１６が設けられている。さらに、案内溝１６のほぼ中央部には縦方向に切り欠き溝１７が設けられている。【００１６】  仕掛け保持部材１の前後への傾斜は、位置決め用軸１２が案内溝１６の両端に到達した時点で終了する。従って、仕掛け保持部材１の前後への傾斜角度は、案内溝１６の形状を変えることによって調節することができる。仕掛け保持部材１の船側えの傾斜角度及び海側えの傾斜角度は、３０〜６０度及び８０〜１２０度であることが好ましい。また、図５に示すように、仕掛け保持部材１は、位置決め用軸１２が切り欠き溝１７内に嵌り込むことによって、ほぼ垂直方向に固定される。【００１７】  仕掛け保持部材１及び支持部材１３で構成される釣り仕掛け投入装置を、舷側の上面に取り付ける手段については特別の制限はなく、図１示するように、台板１８を適当な手段で基板１９に固定し、この基板を竿掛け２４のバイスで挟着して固定することができる。【００１８】  本発明の釣り仕掛け投入装置の使用例を図６及び図７によって説明する。
図６はイカ角２２を引き上げて収納筒２に収納する状態を示している。ほぼ垂直状態の仕掛け保持部材１を持ち上げて船側に傾けて倒すと、位置決め用軸１２が案内溝１６の一方の端部まで摺動し、その位置で固定される。この状態で船内側に傾けた収納筒２の開口からイカ角２２を挿入すると、幹糸２１先端に付けられている錘２３によって張力がかけられた幹糸２１が挟持具４のコイルスプリング７内に嵌り込んで挟持される。収納筒２にイカ角２２を順次に挿入するだけで釣り仕掛けの収納ができると同時に投入の準備も完了する。幹糸は収納筒２の開口と挟持具４の間で緊張状態に保持されているので収納筒２の開口から垂れ下がることがない。【００１９】  図７はイカ角３２を海中に投入する状態を示している。船側に傾斜した状態の仕掛け保持部材１を持ち上げて海側に傾けて倒すと、位置決め用軸１２が案内溝１６の反対側の端部まで摺動し、その位置で固定される。この状態で錘２３を海中に投入すると、挟持具４によって挟持されていた幹糸２１が挟持具４から放たれると共に、イカ角２２が収納筒２の開口から順次放出されて、すべての釣り仕掛けが円滑に海中に投入される。
【図面の簡単な説明】
【００２０】
【図１】本発明の可倒式釣り仕掛け投入装置の斜視図
【図２】同上正面図
【図３】同上側面図
【図４】挟持具の詳細図
【図５】保持部材の支柱と支持部材との関係を示す図
【図６】本発明の可倒式釣り仕掛け投入装置の使用状態を示す斜視図
【図７】本発明の可倒式釣り仕掛け投入装置の別の使用状態を示す斜視図
【符号の説明】
【００２１】１    保持部材
２    収納筒
３    収納筒受台
４    挟持具
５    挟持力調整具
６    スプリング受板
７    コイルスプリング
８    ナット
９    ボルト
１０  支柱
１１  回転軸
１２  位置決め用軸
１３  支持部材
１４  軸受板
１５  回転軸穴
１６  案内溝
１７  切欠き溝
１８  台板
１９  基板
２１  幹糸
２２  イカ角
２３  錘
【要約】
【課題】波の高い日、揺れる船上で、釣り仕掛けの糸がもつれたり、糸と針が絡まったり、針が周りの物に引っ掛る等の問題が無く、簡単な操作で釣り仕掛けの収納ができて、安全かつ円滑に投入が出来る、可等式釣り仕掛け投入装置を提供する。
【解決手段】複数の収納筒を並列して立設した仕掛け保持部材とこれを支持する支持部材とから構成され、仕掛け保持部材の支柱に設けた回転軸及び位置決め用軸を、支持部材の軸受板に設けた回転軸穴及び位置決め用溝に嵌合させることによって、仕掛け保持部材を海側及び船側に倒すことができると共にほぼ垂直方向にも固定できるようにした、可倒式の釣り仕掛け投入装置。【図１】
0003696876.tif 000002
【図２】
0003696876.tif 000003
【図３】
0003696876.tif 000004
【図４】
0003696876.tif 000005
【図５】
0003696876.tif 000006
【図６】
0003696876.tif 000007
【図７】
0003696876.tif 000008